【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
移動体プラットフォームにフォワードリンクトランスポンダ割当を送信するためのシステムであって、
移動体プラットフォーム上の少なくとも１つのレシーバと、
移動体プラットフォーム上の少なくとも１つのトランスミッタと、
レシーバと通信する少なくとも１つのトランスポンダとを含み、トランスポンダはリターンリンク割当を含み、さらに
レシーバと通信する少なくとも１つの地上局を含み、地上局はマスタフォワードリンクトランスポンダ割当リストを含み、さらに
レシーバにロードされるデフォルトトランスポンダ割当テーブルを含み、デフォルトトランスポンダ割当テーブルはデフォルトフォワードリンクトランスポンダ割当テーブルを含み、
デフォルトトランスポンダ割当テーブルに基づいてトランスミッタがトランスポンダに信号を送信すると、トランスポンダはレシーバにリターンリンク割当を送信し、トランスミッタはトランスポンダを介して地上局に信号を送信し、それにより、地上局はトランスポンダを介して正しいフォワードリンク割当をレシーバに送信する、システム。
【請求項２】
トランスポンダは衛星上にある、請求項１に記載のシステム。
【請求項３】
マスタフォワードリンクトランスポンダ割当リストは、世界中の複数の地域のための複数の衛星上の複数のトランスポンダを含む、請求項２に記載のシステム。
【請求項４】
地上局は、地上局から衛星へのフォワードリンクを通してレシーバと通信し、それにより、トランスポンダは正しいフォワードリンクトランスポンダ割当を移動体プラットフォームに送信する、請求項３に記載のシステム。
【請求項５】
複数のトランスポンダは地上局によって優先順位をつけられ、それにより、トランスポンダ故障の際はレシーバを別のトランスポンダに同調可能である、請求項３に記載のシステム。
【請求項６】
複数の衛星は地上局によって優先順位をつけられ、それにより、衛星故障の際はレシーバを別の衛星上のトランスポンダに同調可能である、請求項３に記載のシステム。
【請求項７】
複数の移動体プラットフォームに少なくとも１つのトランスポンダからフォワードリンクトランスポンダ割当を送信するためのシステムであって、
移動体プラットフォーム上の少なくとも１つのレシーバ機器と、
トランスポンダを介して移動体プラットフォームと通信する少なくとも１つの地上局とを含み、地上局はマスタフォワードリンクトランスポンダ割当リストを含み、さらに
移動体プラットフォーム上の少なくとも１つの通信機器を含み、
レシーバ機器が少なくとも１つのフォワードリンク割当を失うと、通信機器はレシーバ機器にフォワードリンクトランスポンダ割当を送信する、システム。
【請求項８】
通信機器にロードされるデフォルトトランスポンダ割当テーブルをさらに含み、デフォルトトランスポンダテーブルはデフォルトフォワードリンクトランスポンダ割当テーブルを含み、
レシーバ機器が動作不能になると、通信機器はデフォルトトランスポンダ割当テーブルに基づいてトランスポンダに信号を送信し、トランスポンダは通信機器にリターンリンク割当を送信し、移動体プラットフォームはトランスポンダを介して地上局に信号を送信し、それにより、地上局はトランスポンダを介して正しいフォワードリンク割当を通信機器に送信する、請求項７に記載のシステム。
【請求項９】
トランスポンダは衛星上にある、請求項８に記載のシステム。
【請求項１０】
マスタフォワードリンクトランスポンダ割当リストは、世界中の複数の地域のための複数の衛星上の複数のトランスポンダを含む、請求項９に記載のシステム。
【請求項１１】
地上局は、地上局から衛星へのフォワードリンクを通してレシーバと通信し、それにより、トランスポンダは正しいフォワードリンクトランスポンダ割当を移動体プラットフォームに送信する、請求項１０に記載のシステム。
【請求項１２】
複数のトランスポンダは地上局によって優先順位をつけられ、それにより、トランスポンダ故障の際はレシーバを別のトランスポンダに同調可能である、請求項１０に記載のシステム。
【請求項１３】
複数の衛星は地上局によって優先順位をつけられ、それにより、衛星故障の際はレシーバを別の衛星上のトランスポンダに同調可能である、請求項１０に記載のシステム。
【請求項１４】
移動体プラットフォームにフォワードリンクトランスポンダ割当を送信する方法であって、
（ａ）デフォルトフォワードリンクトランスポンダ割当テーブルを移動体プラットフォームの移動体端末のレシーバにロードするステップと、
（ｂ）移動体端末のトランスミッタから、デフォルトトランスポンダ割当テーブルに載っている少なくとも１つのトランスポンダに信号を送信するステップと、
（ｃ）該少なくとも１つのトランスポンダから移動体端末のレシーバにリターンリンク割当を送信するステップと、
（ｄ）正しいフォワードリンクトランスポンダ割当を要求して、トランスポンダを介してトランスミッタから地上局へ信号を送信するステップと、
（ｅ）地上局からトランスポンダを介してレシーバに正しいフォワードリンクトランスポンダ割当を送信するステップと、
（ｆ）正しいフォワードリンクトランスポンダ割当に基づいてレシーバを正しいトラン
スポンダに再同調させるステップとを含む、方法。
【請求項１５】
正しいフォワードリンクトランスポンダ割当を送信するステップは、地上局から衛星へのフォワードリンクを通して達成され、それにより、トランスポンダは正しいフォワードリンクトランスポンダ割当を移動体プラットフォームに送信する、請求項１４に記載の方法。
【請求項１６】
レシーバが故障した移動体プラットフォームにフォワードリンクトランスポンダ割当を送信する方法であって、
（ａ）フォワードリンクトランスポンダ割当を移動体プラットフォームの通信機器にロードするステップと、
（ｂ）フォワードリンクトランスポンダ割当の複数の優先順位のセットを地上局にロードするステップと、
（ｃ）通信機器からレシーバ機器に信号を送信するステップとを含み、
信号はフォワードリンクトランスポンダ割当を含む、方法。
【請求項１７】
故障したレシーバが同調していたトランスポンダにレシーバを同調させる方法であって、
（ａ）フォワードリンクトランスポンダ割当の複数の優先順位のセットを地上局にロードするステップと、
（ｂ）複数の優先順位の衛星を地上局にロードするステップと、
（ｃ）トランスポンダが同調されるまで、第１の優先順位のセットのトランスポンダにレシーバを再同調させるステップと、
（ｄ）ステップ（ｃ）がトランスポンダの同調に失敗した場合、トランスポンダが同調されるまで第２の優先順位のセットのトランスポンダにレシーバを再同調させるステップと、
（ｅ）トランスポンダが同調されるまで、さらなる優先順位のセットのトランスポンダについてステップ（ｄ）を繰返すステップと、
（ｆ）ステップ（ｅ）がトランスポンダの同調に失敗した場合、第１の優先順位の衛星にレシーバを再同調させるステップと、
（ｇ）ステップ（ｅ）がトランスポンダの同調に失敗した場合、第２の優先順位の衛星にレシーバを再同調させるステップと、
（ｈ）トランスポンダが同調されるまで、さらなる優先順位のセットのトランスポンダについてステップ（ｇ）を繰返すステップとを含む、方法。